(57)【要約】【課題】インジケーターボックスに鋼板材を使用した場合において、意匠性を損なうことなく安価に、公衆無線通信網を使用したエレベータの遠隔監視システムを提供する。【解決手段】公衆無線通信網に遠隔監視システムを接続する無線通信機７の信号受信部４ｈ２ｂを、エレベータの乗り場に設置される乗り場呼び釦内４ｈに配置することにより達成する。【選択図】図３
2005330050.tif 000002
【特許請求の範囲】
【請求項１】
公衆無線通信網を用いてエレベータの遠隔監視・診断を行うエレベータの遠隔監視システムにおいて、前記公衆無線通信網に前記遠隔監視システムを接続する無線通信機を備え、前記無線通信機用の信号受信機をエレベータの乗り場に設置される乗り場呼び釦内に収納したことを特徴とするエレベータの遠隔監視システム。
【請求項２】
請求項１記載のエレベータの遠隔監視システムにおいて、前記無線通信機用の信号受信機を複数台の場合に１台は上方向乗り場呼び釦内に、他の１台は下方向乗り場呼び釦内に収納したことを特徴とするエレベータの遠隔監視システム。
【請求項３】
請求項１記載のエレベータの遠隔監視システムにおいて、乗り場呼び釦内に収納された前記無線通信機用の信号受信機は乗り場釦応答灯を配置している基板の表面又は内部に配置することを特徴とするエレベータの遠隔監視システム。
【発明の詳細な説明】
【技術分野】
【０００１】
本発明は、公衆無線通信網を用いてエレベータを遠隔地から監視・診断するエレベータの遠隔監視システムに関し、特に機械室レスエレベータにおける無線通信機用の信号受信機の設置方法に関する。
【背景技術】
【０００２】
従来、公衆無線通信網を用いたエレベータの遠隔監視システムは、例えばＰＨＳ端末などの無線通信機を遠隔監視装置の設置されるエレベータ機械室内に設置している。
【０００３】
また、上述した無線通信機本体からアンテナ部分を分離し、無線通信機本体は機械室に設置し、アンテナ部分はエレベータ乗り場のインジケーターボックス内に取付ける方法は公開されている（特許文献１参照）。
【特許文献１】特開２００３−３４４７２公報
【発明の開示】
【発明が解決しようとする課題】
【０００４】
しかしながら、前記従来技術においては、アンテナ部が取り付けられるエレベータのインジケータは顧客仕様により多種多様な素材が用いられる。このため金属製のインジケーターボックスカバーが使用された場合はアンテナ部をインジケーターボックス内に収納しても、波長の短い電波は減衰、遮断され必要とする電界強度が得られないという問題がある。
【０００５】
本発明はこのような従来の問題点に鑑みてなされたもので、金属製のインジケータパネルが使用された機械室レスエレベータにおいても、十分な電波強度を得られる公衆無線通信網を用いたエレベータの遠隔監視システムを提供することを目的とするものである。
【課題を解決するための手段】
【０００６】
請求項１記載のエレベータの遠隔監視システムは、公衆無線通信網に遠隔監視システムを接続する無線通信機用の信号受信部を、エレベータの乗り場に設置される乗り場呼び釦内に収納することを特徴とする。本発明によれば、エレベータ塔内よりも比較的電波状態の良いエレベータ乗り場に設けられた乗り場呼び釦内に信号受信部すなわちアンテナ部を設置することができ、顧客仕様によるインジケータカバーや乗り場呼び釦カバーの材質に影響されない良好な通信に必要な電波の電界強度を得やすいというメリットがある。
【０００７】
また、請求項２記載のエレベータの遠隔監視システムは、通常２台併設運転の場合乗り場呼び釦は１つしか設置されないが、上方向用呼び場呼び釦と下方向用乗り場呼び釦をそれぞれ別々のエレベータの無線通信機用のアンテナ部として使用することで、２台以上の無線通信機にも対応することができる。
【０００８】
また、請求項３記載のエレベータの遠隔監視システムは、信号受信機を乗り場釦応答灯を配置している基板の表面又は内部に配置することにより、釦の構造を変更することなく安価で信頼性の高い信号受信機を提供することができる。
【発明の効果】
【０００９】
請求項１の発明によれば、エレベータ塔内よりも比較的電波状態の良い、顧客仕様によるインジケータカバーや乗り場呼び釦カバーの材質に影響されない良好な通信に必要な電波の電界強度を得ることができる。
【００１０】
また、請求項２の発明によれば、２台以上の無線通信機にも前記した発明が容易に対応することができる。
【００１１】
また、請求項３の発明によれば、釦の意匠及び構造を変更することなく安価で信頼性の高い信号受信機を提供することができる。
【発明を実施するための最良の形態】
【００１２】
次に、図面に示す実施の形態に基づいて本発明を詳細に説明する。
【００１３】
図１は本発明の実施の形態におけるエレベータの遠隔監視システムの例を示した概略の構成図である。
【００１４】
エレベータかご１は、テールコード２を介してエレベータ制御盤３に接続され、図示しないモーターとロープにより上下に移動する。また、エレベータ乗り場にはエレベータの呼び登録を行う乗り場呼び釦とかご位置表示を行うインジケーターボックス４が各階床分設けられる。さらに、エレベータ制御盤３の近傍には、エレベータの異常状態の監視、及び性能の劣化を診断するエレベータ遠隔監視装置５が設けられ、通信線６を介してインジケーターボックス４内に取付けた無線通信機７と接続されている。
【００１５】
ここで、無線通信機７は、建物の各階のエレベータ乗り場において、電波の電界強度が強い階床を選んで取付けることは言うまでも無く、どの階のインジケーターボックスにも収納できる構成としている。また、無線通信機７はインジケータボックス内に収納せず、別途塔内の任意の場所に設置し信号受信部であるアンテナ部のみ設置する構成とすることも可能である。
【００１６】
図２は２台併設運転の場合のインジケーターボックス４の詳細構成を示してる。
【００１７】
インジケーターボックス４には、パネル４ａとケース４ｂとから構成され、パネル４ａとケース４ｂは顧客意匠の指定により鋼板にて製作されているものとする。２台併設のためかご位置表示装置４１、４２が別々に設けられており、乗り場呼び釦が上方向用４ｈｕ、下方向用４ｈｄが収納されている。またインジケーターボックス内にはそれぞれの無線通信機７１、７２が収納されている。無線通信機７１、７２に接続される信号受信部は無線通信機７１は上方向用乗り場呼び釦４ｈｕの信号受信部に無線通信機７２は下方向用乗り場呼び釦４ｈｄの信号受信部に接続されている。乗り場呼び釦４ｈｕ、４ｈｄは応答灯表示が必要な関係から透過性のある素材が使用されるのが一般的であり、電波の通過性の良い材質、例えばアクリル性樹脂で製作されているため顧客意匠の指定に影響されることがない。
【００１８】
次に、図３は乗り場呼び釦４ｈの概略断面図の一例を示しており、押し釦部４ｈ１と応答灯表示用ＬＥＤ基板４ｈ２及び呼び釦スイッチ部４ｈ３から構成される。応答灯表示用ＬＥＤ基板４ｈ２の正面観には複数のＬＥＤ素子４ｈ２ａがバランスよく配置されている。前記した応答灯表示用ＬＥＤ基板４ｈ２に電波の指向性を考慮し、信号受信部４ｈ２ｂまたは４ｈ２ｃをパターンに埋め込みする構成とする。
【００１９】
尚、無線通信機７は、公衆無線通信網を使用する無線通信機を示すもので、例えば、ＰＨＳ、ＰＤＣ携帯、ｃｄｍａ携帯などが含まれる。
【図面の簡単な説明】
【００２０】
【図１】本発明の実施の形態における例を示した概略構成図である。
【図２】本発明の実施の形態における例を示したインジケーターボックスの構成図である。
【図３】本発明の実施の形態における例を示した乗り場呼び釦の構成図である。
【符号の説明】
【００２１】
１  エレベータかご
２  テールコード
３  エレベータ制御盤
４  インジケーターボックス
４ａ  インジケーターパネル
４ｂ  インジケーターケース
４１  １号機の乗り場用かご位置表示装置
４２  ２号機の乗り場用かご位置表示装置
４ｈ  乗り場呼び釦
４ｈｕ  上方向用乗り場呼び釦
４ｈｄ  下方向用乗り場呼び釦
４ｈ１  押し釦
４ｈ２  応答灯表示用ＬＥＤ基板
４ｈ３  押し釦スイッチ
４ｈ２ａ  ＬＥＤ素子
４ｈ２ｂ  無線通信機用信号受信部（アンテナ部）
４ｈ２ｃ  無線通信機用信号受信部（アンテナ部）
５  エレベータ遠隔監視装置
６  通信線
７  無線通信機
７１  １号機用無線通信機
７２  ２号機用無線通信機
【図１】
2005330050.tif 000003
【図２】
2005330050.tif 000004
【図３】
2005330050.tif 000005